(57)【要約】      （修正有）【課題】装飾性に優れ、内部の収納物を保護でき、更にはバスケットに着脱自在でかつ適度な係止力をもって安定的に装着できるバスケットのインナーを提供する。【解決手段】バスケット１０に装填されるインナーを、バスケット内の所定位置に留める構成として、インナーの袋状部１の上方に環状の弾性体５を円周拡大方向に付勢して、バスケットのリムの凸条の下位に係止するように設けた。インナーの袋状部の上縁に、左片カバー２とその左片カバーに重ねて内側に蓋片カバー４を縫着し、その反対側に右片カバー３を縫着している。バスケットに装着した際には、蓋片カバーはバスケットの開口部を覆う。【選択図】図６
0003194858.tif 000002
【実用新案登録請求の範囲】
【請求項１】
バスケットに装填されるインナーであって、袋状部の上方に環状の弾性体が円周拡大方向に付勢して設けられ、バスケット内に着脱自在でかつ前記バスケットの上端のリムの下位の位置に係止力をもって装填されることを特徴とするバスケットのインナー。
【請求項２】
前記袋状部の上縁に、左片カバーとその左片カバーに重ねて内側に蓋片カバーを設け、その反対側に右片カバーを設けていることを特徴とする請求項１記載のバスケットのインナー。
【請求項３】
前記袋状部をバスケット内に装填したインナーの前記左片カバーはバスケットの上縁リムを覆って左外側に折り返され、前記右片カバーはバスケットの上縁リムを覆って右外側に折り返され、前記蓋片カバーは、袋状部の上方開口側に屈折して倒すことにより、前記袋状部の上方開口を覆い、前記袋状部の上縁で折り返された左片カバー及び右片カバーの外側上部に装飾体を設けたことを特徴とする請求項１〜請求項２のいずれかに記載のバスケットのインナー。
【請求項４】
バスケットに装填されるインナーであって、袋状部の上方に環状筒部が設けられ、その筒部内に環状の弾性体が円周拡大方向に付勢して設けられ、弾性体の縮径によってバスケット内に着脱自在でかつ前記バスケットの上端のリムの下位の位置に係止力をもって装填され、前記袋状部の上縁に、左片カバーとその左片カバーに重ねて内側に蓋片カバーを設け、前記蓋片カバーは、袋状部の上方開口側に屈折して倒すことにより前記袋状部の上方開口を覆い、前記左片カバーの反対側に右片カバーを設けていることを特徴とするバスケットのインナー。
【請求項５】
前記弾性体は、ポリプロピレン等の合成樹脂を溶解し抗菌剤を混合して製作された長尺体であることを特徴とする請求項１〜請求項４のいずれかに記載のバスケットのインナー。
【考案の詳細な説明】
【技術分野】
【０００１】
本考案は、ナンタケットバスケット、籐籠、蔓籠、蔦籠などのバスケット（籠）のインナー（内部にあるもの）に関する。
【０００２】
本考案は、編み籠のインナーに関し、特にナンタケットバスケットと分類される独特の分野のバスケットに関するインナーで、上質な素材、上品なフォルムのバスケットのための装飾性の高いインナーである。
蓋片付のインナーではあるが、インナー付の蓋としてのアウター（外側にあるもの）としても使用できる。
【０００３】
ナンタケットバスケットは、米国ナンタケット島で生まれたバスケットである。島内に根付いた文化や美の重要なコンセプトは、シンメトリーである。
ナンタケットバスケットは、そのシンメトリーが反映したシンプルなデザインである。
【０００４】
その素材は、ごく上質なオークやチェリーなどと細いケイン（節のある籐等の茎  堅芯  編み芯）が用いられる。
オーク等はリム板やスタッブス（細幅の縦方向芯板＝支板）となり、或いは籤（編み板）に加工されて用いられる。
【０００５】
本考案は、その装填する籠をナンタケットバスケットに限るものではないが、シンプルなナンタケットバスケット仕様であることで、汎用性を有するインナー形態になっている。
【背景技術】
【０００６】
従来、編み籠類は、籐製籠や山葡萄蔦製の籠等、自然素材で作成された籠が世界各地にあり、例えば米国ではナンタケットバスケットが、多種の優雅なデザインで市販され知られている。
【０００７】
図９は、従来技術に係る標準的構成のナンタケットバスケットの一例を示す斜視図である。
ナンタケットバスケットは、木製の板台（１５）を備えた蓋（１１）付きの、木製の底板（１６）を有する編み籠のバスケット（１０）で、バスケット（１０）の上端の環状板であるリム（１９）にワッシャー（２３）を介して留め具（２１）でハンドル（２２）を備えた構造である。
【０００８】
蓋（１１）は、編み蓋で、下端にリム（２０）が設けられている。
蓋（１１）及びバスケット（１０）は、所定の木型に配置したスタッブス（細幅の縦方向芯板＝支板）にケイン（節のある籐等の茎、堅芯、編み芯）を編んで作成される。
ケインは、緻密に編み込まれ、蓋（１１）及びバスケット（１０）は、その表面及び裏面ともに滑らかである。
【０００９】
蓋（１１）の上面に板台（１５）を設け、そこにオーナメント（１２）を付設している。
オーナメント（１２）は、マンモス牙の化石、セイウチ牙の化石、クジラの骨、象牙等の彫刻品である。
蓋（１１）の縁には、ケインを編んだ掛け具（１４）が設けられ、バスケット（１０）のリム（１９）に連結付設した止めリング（１３）に掛け、その止めリング（１３）にペグ（１８）を挿通して留めている。
∩状のハンドル（２２）は、木製で左右端部をリム（１９）に受軸で可動に軸承されている。受軸の端部にはノブ（２１）が設けられる。
ナンタケットバスケットの優雅さは、蓋のオーナメントやノブが白色の彫刻品で、全体が光沢のある木色との調和から醸し出されている。
【００１０】
図９で示すようなナンタケットバスケットは、その素材であるケイン（節のある籐等の茎・堅芯  編み芯  で、幅狭の籤状の木素材）を厳選し、精巧な加工をした素材を使用して作製されている。
素材は、木製であるので、ある程度硬質で、頑丈と言えるもので柔軟ではない。
因みにナンタケットバスケットは、米国のマサチューセッツ州ケープ・コッドの南３０マイルに位置する離島であるＮＡＮＴＵＣＫＥＴ島に発祥由来の籠で、伝統的にインナーはないものであった。
【００１１】
ナンタケットバスケットに関しては、次の文献がある。
【先行技術文献】
【特許文献】
【００１２】
【特許文献１】実用新案登録第３１８８６１０号公報  「装飾藤バッグ」
【００１３】
【特許文献２】特許第５２７６０７１号公報  「ナンタケットバスケット及びそのオーナメント」
【００１４】
【特許文献３】特許第５２７０６２４号公報  「バッグ」
【考案の概要】
【考案が解決しようとする課題】
【００１５】
ナンタケットバスケット（ＮＡＮＴＵＣＫＥＴ  ＢＡＳＫＥＴ）は、米国のＮＡＮＴＵＣＫＥＴ島に由来する歴史ある伝統的商品であるが、先例の技術的文献が少なく、インナーについては知見できない。
前記先行技術文献での特許文献１は、藤かごに半透明のガラス製の装飾を施した蓋をつけた装飾藤バッグである。
特許文献２は、蓋にオーナメント（ネームプレートや貝殻などの飾り）をボルト等で装着する技術である。オーナメントの取替えが容易にできる。
特許文献３は、２つのアウターと物品を収納するインナーからなるバッグであってインナーをアウターのリムと呼ばれる固定部に噛ませて固定し、それによって相互のアウターを接続することに特徴がある。
これらの技術文献には、装着自在のインナーの技術は、開示されていない。
【００１６】
ただ、買い物籠、編み籠などの籠製品には、インナーを設けたものもある。
布製の袋や風呂敷などの布類、いわゆる巾着袋と言われる形態のものである。
収納品を傷つけないようにする気遣い配慮であるが、そのインナーの構成はいわゆる独立した巾着袋である。
【００１７】
ナンタケットバスケットは、国際的な人気とともに使用時期や地域もグローバルになり、夏季に限らないパーティー用のバスケットとして使用されるものでもあるため、自ずとインナーの要望も出てきている。
正装のバッグとして、装飾品や貴重品の収納という、用途の拡大に伴い、収納品との摩擦などの防止や衝撃なく収納するために、バスケットの内にインナーとしての柔らかい布製内袋を設けることが要請されている。
さらには、冬季にも持てるようなファーの装飾などの要望もある。
【００１８】
ただ、従来の編み籠のインナーは、その構造に合わせたものではなく、巾着袋の形態であるので、中で動いたり、外れたりすることがある。
固定するには、巾着袋の紐をハンドル（把手）に縛ることになるので、フォルムとしても好ましいものではない。
又、風呂敷や布切れをその縛り方を工夫して内袋とすることも行われているが、
シンプルなナンタケットバスケットのデザインとマッチしない
一般の籠では、インナーとして内側に布を貼り付けたものなどがあるが、その構成では取り外せるものではないという難点もある。
【００１９】
ナンタケットバスケットのような、デザイン性とフォルムを備えたバスケットには、インナーとしての公知の内袋を知見できないために、独創的に開発をすることが課題になる。
特に、内面が滑らかなナンタケットバスケットに着脱自在で、装着後に外れたりせずにかつ容易に脱落しないインナーを開発することが課題である。
【課題を解決するための手段】
【００２０】
本考案は、特にナンタケットバスケットのインナーを提供することを目的とする。
【００２１】
ここに本考案は、バスケットに装填されるインナーであって、袋状部の上方に環状の弾性体が円周拡大方向に付勢して設けられ、バスケット内に着脱自在でかつ前記バスケットの上端のリムの下位の位置に係止力をもって装填されることを特徴とするバスケットのインナーである。
そのインナーは、柔軟な素材で作成された底付きで上部を開口した袋体で、その袋状部の上縁に、左片カバーとその左片カバーに重ねて内側に蓋片カバーを設け、その反対側に右片カバーを設けている。
尚、本書では、左片カバーは一方のカバー、右片カバーは他方のカバーと同義として使用している。
本考案は蓋片付きのインナーであるともに、バスケットの左側のリムを覆う左片カバーと右側のリムを覆う右片カバーを備えた左右に折り曲げカバーを有するインナー付蓋片としてのアウターでもある。
見方によって、蓋片付きのインナーであり、見方によってはインナー付蓋としてのアウターでもある。
オーナメントの付いた蓋を取り外して、本考案のバスケットのインナーをセットすると、バスケットのインナー付の蓋としても利用できることになる。
【００２２】
袋状部の上方胴部には環状筒部が設けられ、その筒部内に環状の弾性体が設けられていて、バスケット内に着脱自在でかつ適度な係止力をもって装填される。
環状の弾性体は、円周拡大方向に付勢して設けられる。
この構成は、切れ目のある円形の弾性板材や弾性チューブを、手の指などの外力で円形に縮径して装填することで、反発力で、円周拡大方向に拡幅するので、これを保持力とする。
或いはバスケット胴部内径より若干径大の環状の弾性チューブを、前記袋状部の上方胴部に設けた環状筒部に縮径して装填する構成でも可能である。
【００２３】
袋状部をバスケット内に装填したインナーの左片カバーは、立てたり傾斜させたり、或いはバスケットの上縁リムを覆って左外側に折り返され、右片カバーも立てたり傾斜させたり、或いはバスケットの上縁リムを覆って右外側に折り返される。
蓋片カバーは、袋状部の上方開口側に屈折して倒すことにより、その上方開口を覆う蓋になる。
【００２４】
さらに、袋状胴部の上縁で折り返された左片カバー及び右片カバーの外側上部に装飾体を設けて折り返した周囲に装飾体が縁取りのように露出する構成も提案する。
【００２５】
さらに、蓋片カバーを左片カバーに重ねて設けるとともに、前記右片カバーにももう一つの蓋片カバーを設けて重ねて設け、左右に蓋片カバーを設けた構成も提案する。
【００２６】
又、インナーの上部に磁性体を埋設し、かつハンドルの留め具のリムの内側に磁石を設けて、両者を係止する構成も提案する。
【００２７】
弾性体は、ポリプロピレン等の合成樹脂を溶解し抗菌剤を混合して製作された長尺体（板体や棒体やチューブ）であるものも提案する。
【考案の効果】
【００２８】
上記の構成から、本考案に係るバスケットのインナーは次の技術的効果が得られる。
（１）本考案に係るバスケットのインナーは、柔軟な素材例えば布製の袋状部を有し、内部の収納物を保護する。
ケインや木製のバスケットの内部表面は、頑丈であり硬度もあるため、貴重品などの収納は直接接触して破損や損傷のおそれがあるが、柔軟な布地等のインナーであるので、収納物を保護できる。
【００２９】
（２）本考案に係るバスケットのインナーは、袋状部の上縁に、左片カバーとその左片カバーに重ねて内側に蓋片カバーを縫着している。
蓋片カバーは、折り曲げて収納容器部である袋状部の開口を覆うので、従前の編み蓋を取り外したナンタケットバスケットでも、内部を隠して収納出来る。
【００３０】
（３）本考案に係るバスケットのインナーは、左片カバーとその反対側に右片カバーを縫着している。左片カバーと右片カバーは、バスケットのリム上縁を覆って外側に垂れ下がり、バスケットとその蓋とのリムの開閉音を軽減し、リム上縁を摩擦から保護する。
蓋を取り外したナンタケットバスケットでは、表面を蓋片カバーが覆い、左片カバーと右片カバーは、左右に垂れてシンメトリーを形成したデザインとなる。
【００３１】
（４）袋状部の上方にはバスケット上端のリムの下位の位置に係止する環状の弾性体が設けられていて、バスケットに着脱自在でかつ適度な係止力をもって装填される。
弾性体は、拡幅付勢されているが弾性で縮径でき、ワンタッチでバスケットに着脱自在に装填できる。
環状の弾性体が、円周拡大方向に付勢して設けられ、バスケットにしっかりと当接するので、インナーが安定して装着でき、仮にバスケット内で上下動してもその位置で拡幅係止するので抜け出ることはない。
さらにリムのあるバスケットでは、環状凸条であるリムの下位にその弾性体を配置しているので、弾性体はリムを乗り越えて抜け出ることはない。
抗菌剤を練り込んだ素材で作成した弾性体では、インナー自体が、防カビ・防虫効果があり、バスケットの保管に極めて有用である。
【００３２】
（５）袋状部の上縁の内側左右に蓋片カバーを縫着した構成では、二つの各蓋片カバーの大きさが比較的小さくなり、中央で重なる部分があるので、中身が飛び出しにくく、その開閉は小さな動きでできる。ナンタケットバスケットでは、シンメトリーな蓋片カバーで優雅な開閉動作ができる。
【００３３】
（６）インナーの上部に磁性体を埋設し、かつハンドルの留め具のリムの内側に磁石を設けた構成では、インナーの形態を維持する素材で作成することが要請されるが、インナーの着脱が容易にできる。
【００３４】
（７）本考案のバスケットのインナーは、ナンタケットバスケットの替蓋として使用することもできる。
編み蓋とは、全くイメージの異なるバスケットになる。
本考案のバスケットのインナーは、左右片カバーがシンメトリーに左右外側表面に露出するので、デザインを付加変更する手がかりがあり、その場合に、左片カバー及び右片カバーの外側上部に装飾体（ファーやリボン、花を模したアップリケ  帯切れ地  布地等）を付設することで、イメージの変更が可能である。
【００３５】
このようなインナーを装填したバスケットは、所持する人の年齢や装飾体に応じた用途や、時期を選んで使用することもできる。
左右片カバーはその先端部を寄せて結んで、結びの装飾として応用することもできる。
【図面の簡単な説明】
【００３６】
【図１】図１は本考案に係るバスケットのインナーの実施例１であって、バスケットに装填した状態の斜視図である。
【図２】図２は同じく実施例１に示すインナーであって、ハンドル付のバスケットに装填した除隊の斜視図である。
【図３】図３は同じく本考案に係るバスケットのインナーを示す実施例１をバスケットに装填した状態で、左片カバー、右片カバー及び蓋片カバーを折り込む前の状態での側面図である。
【図４】図４は同じく本考案に係るバスケットのインナーの実施例１を示すもので、バスケットに装填し、左片カバーを外側に折り返し、右片カバーを外側に折り返し、蓋片カバーを折り返す前の状態の斜視図である。
【図５】図５は、同じく本考案に係るバスケットのインナーであって、蓋片カバーを左右の内側に設けた実施例２を示す側面図である
【図６】図６は、実施例１のインナーをバスケットに装填する状態の説明図である。
【図７】図７は、同じく実施例１のインナーをバスケットに装填する状態で、左片カバーと右片カバーを、バスケットのリムを覆って折り垂らし、その上部にファーやリボンの装飾体を付設する説明図である。である。
【図８】図８は、同じく実施例１のインナーをバスケットに装填する状態を示すもので、ハンドルを２本付設したバスケットに、左片カバーと右片カバーを、リムを覆って折り、蓋片カバーを略水平に拡げて、中身を覆っている状態の斜視図である。
【図９】図９は、従来のナンタケットバスケットの構成を示す斜視図である。
【考案を実施するための形態】
【００３７】
以下、本考案に係るバスケットのインナーを実施するための最良の形態及び実施例１、実施例２を図面に基づき詳細に説明する。
実施例１は、図１〜図４、図６〜図８に示し、実施例２は図５に示している。
【実施例１】
【００３８】
実施例１のインナーは、バスケット（１０）に装填される布製のインナーであって、袋状部（１）の上縁に、左片カバー（２）とその左片カバー（２）に重ねて内側に蓋片カバー（４）を設け、その反対側に右片カバー（３）を設けていることを特徴とするインナーである。
実施例１では、袋状部（１）の上縁に、左片カバー（２）と蓋片カバー（４）を重ねて縫着している。
袋状部（１）の上縁に、左片カバー（２）等を設けるには、縫着に限らず、予め左片カバー（２）と蓋片カバー（４）との底辺を縫い合わせて、その辺にファスナーを設けて、ファスナーでの取付け構成にすることもできる。
【００３９】
左片カバー（２）、右片カバー（３）、蓋片カバー（４）は、実施例１では略三角形の布である。
これらの大きさや形状はあくまで一例であり、適宜設計でき、楕円形や長方形、正方形等の矩形やその他の変形をデザインでき、大きさもバスケットとの調整で設計される。
実施例１では、左片カバーと右片カバーは略三角形で、それぞれ底辺を前記袋状部の上縁外側に端部を重ねて、一部重なる部分を設けて半周ずつ縫着されている。
左片カバー（２）と右片カバー（３）は、底辺の一部が重なる程度に、全周に渡って、袋状部（１）の外側に縫着されている。
左片カバー（２）と右片カバー（３）の縫着位置は、袋状部（１）の上縁の内側でも外側でも差支えない。
左片カバー（２）には蓋片カバー（４）が内側に重ねて縫着されている。
蓋片カバー（４）は、略三角形でその底辺を左片カバー（２）と袋状部の上縁外側に狭着されて立設縫着されており、蓋片カバー（４）を袋状部（１）の上方開口側に屈折して倒すことにより、その上方開口を覆う蓋になるものである。
本考案では、蓋片カバー（４）が、袋状部（１）の開口を覆って配置できることが特徴的構成である。
【００４０】
図６、図７の図中矢印Ａ，Ｂ，Ｃ，Ｄは、袋状部（１）をバスケット（１０）に装填して（Ａ）、左片カバー（２）はバスケット（１０）の上縁リム（１９）を覆って左外側に折り返され（Ｂ）、右片カバー（３）はバスケットの上縁リム（１９）を覆って右外側に折り返され（Ｃ）、蓋片カバー（４）は開口を覆う（Ｄ）ことを示すものである。
左片カバー（２）と右片カバー（３）は、バスケット（１０）の上縁リム（１９）を覆って左外側と右外側にそれぞれ折り返されて配置されるほか、上に向かせて立てたり、傾斜させたり、デザインを変更して表現できる。
袋状部（１）は、容器部となるものであり、ポケット（６）や仕分けの仕切りなどは、任意に付けられる。
【００４１】
尚、前記したように右片カバー（２）、左片カバー（３）の用語は、一方と他方という意味であり、便宜上左右という語句を使用するが、インナー自体は、全体でバスケット（１０）内で自転可動であり、前後に位置した折り返しなどもできるのは説明するまでもない。
このように、インナー全体が布製であり、蓋片カバー（４）での覆いは、手でもって被せて先端を指で押しこむようにすると袋状部（１）の開口全体が覆われて、中身が見えなくなる。
左片カバー（２）と右片カバー（３）は、バスケット（１０）の上縁を覆うように折り返されて左右縁に垂らされる。
シンメトリーの好ましいデザイン性が付与される。
左片カバー（２）と右片カバー（３）は、若干長めに設計しておくと、左右から合わせ寄せて装飾結びなどが可能である。
三枚の布の縫着で、蓋の役目と装飾を兼ねた部品となっている。
【００４２】
実施例１は、インナー全体が布製であるが、生地は、絹や木綿などの天然素材、化繊  不織布、水密性の有無などを問うものではなく、またキルティングなどの裁縫加工を限定するものでもない。
なめし皮や、合成皮革、特殊な紙、キルト  厚めの生地、レースなども採用できる。左片カバー（２）、右片カバー（３）、蓋片カバー（４）ごとに異質な素材を選択することも可能である。
【００４３】
実施例１のインナーの収納容器となる袋状部（１）の上部には、環状の筒状部（弾性体通し）が設けられ、その筒状部に、一部切り欠いた環状の弾性体（５）が入って筒状部は円周拡大方向に付勢されている。
弾性体（５）の位置は、装填されるバスケット（１０）の上端のリム（１９）の下位の位置に係止力がかかるように配置される。
上端のリム（１９）の下位の位置であれば、多少の深浅の幅があるが、好ましくはリム（１９）の凸条のすぐ下の内面に当接するように設計される。
拡幅するように付勢された弾性体（５）がリム（１９）の環状凸条の下に引っ掛かるので、回転可動ではあるが一旦掛かると容易には外れない状態で保持ができる。
この弾性体（５）を拡勢して内設する点が特徴のひとつとなっている。
【００４４】
弾性体（５）は、図６のようなバネ板で実施した。
バネ板はバスケット（１０）の内径より大きな径で、その一部を切り欠いており、縮径ができ大径に復帰する弾性を有する環状板である。
手で押さえるなどの外力による弾性体の縮径によって、バスケットに着脱自在である。
そのほか、弾性体（５）は、ポリプロピレン硬質弾性チューブをバスケット（１０）の内径より大きな径の環状にして、前記筒状部に挿入して配置する構成のものでもよい。
環状の一部を切り欠くか、チューブの中空管内に摺動するように他端を細くして差し込む構成により、拡幅するように付勢できる。
又、環状の弾性ゴムチューブを前記環状筒部（弾性体通し）に縮径して装填しても可能である。
さらには、環状の弾性チューブを一部切断して、両端部にネジを切り、回転する連結具をその両端部に取り付けて環状とし、前記連結具を手動で回動することで、円径を大小に調節する構成でも可能である。
弾性体（５）の配置は、実施例では上部に1本を配置しているが、上下に２本
などの配置もできる。
【００４５】
弾性体（５）は、弾性のある図６のようなバネ板で、木製、竹製でもできるが、実施例では合成樹脂製の長尺体（板体や棒体やチューブ）で作成している。
合成樹脂製素材のものは、ポリプロピレン等の合成樹脂を溶解し抗菌剤を混合して長尺体（板体や棒体やチューブ）に製作することが可能である。
本考案では、抗菌剤、防カビ剤、の一方又は両方を混入して成形した弾性体（５）を提案する。
特に、チューブ型の弾性体（５）や、波状に形成したバネ板は、表面積が大きいので、抗菌剤や防カビ剤の混入で、バスケット（１０）の抗菌・防カビ効果が期待でき、バスケット（１０）内にインナーを装填するだけでよいので、収納が即抗菌対策になり、使い勝手もよい。
【００４６】
又、インナーをバスケット（１０）内の所定位置に留める構成としては、インナーの袋状部（１）の上部に磁性体（７）を埋設し、かつハンドル（２２）の両側の留め具（２１）のリム（１９）の内側に磁石（１７）を設けた構成も提案する。
図６で示すように袋状部（１）の上方の左右位置に、磁性体（７）を縫込み、一方バスケット（１０）のハンドル（２２）の左右の留め具（２１）の軸後端に磁石（１７）を設けて、両者の磁力で、位置決めし保持する。
磁石（１７）はリム（１９）の内側で軸受の部分になるので、バスケット（１０）内に、金属を露出させることなく、磁着するので、収納品に損傷を与えることはない。
【実施例２】
【００４７】
図５は、インナーの実施例２を示すもので、蓋片カバー（４）の反対側にも蓋片カバー（４１）を設けたインナーを示す側面図である。
袋状部（１）の上方開口縁の半分に二枚のカバー（２）（４）を設け、他方の半分にも二枚のカバー（３）（４１）を設けたものである。
蓋片カバー（４）を左片カバー（２）に重ねて縫着するとともに、右片カバー（３）にももう一つの蓋片カバー（４１）を重ねて縫着して、左側の蓋片カバー（４）と右側の蓋片カバー（４１）を設けた構成となる。
袋状部（１）の上縁の内側左右に蓋片カバー（４）（４１）を縫着した構成では、二つの各蓋片カバー（４）（４１）の大きさが比較的小さくなり、中央で重なる部分があるので、中身が飛び出しにくく、その開閉は小さな動きでできる。
【００４８】
本考案のバスケットのインナーは、蓋付のバスケットのインナーとして利用できるとともに、バスケット（１０）の蓋（１１）をなくして、そのインナーをセットすると、バスケットにおいてインナー付の蓋としても利用できる。
ナンタケットバスケットに装填し、このような用法においては、その装飾シンプル性が重要になる。
【００４９】
本考案では、袋状部（１）の上縁で折り返された左片カバー（２）を有し、袋状部（１）の上縁で折り返された右片カバー（３）を有する。
この左片カバー（２）と右片カバー（３）を利用して、左外側上部に装飾ファー（Ｆ）を設け、袋状部の上縁で折り返された右片の右外側上部に装飾ファー（Ｆ）を設けて、折り返した周囲にファー（Ｆ）が取り付けられ露出する構成を提案する。
ナンタケットバスケットにおいては、バスケット（１０）の外周には、装飾体を取付ける手がかりがない。
本考案の構成では左片カバー（２）と右片カバー（３）があるので、装飾体としてファー（Ｆ）やリボン（Ｒ）をその部分に付設することが可能である。
【００５０】
左片カバー（２）と右片カバー（３）を折り返えさずに立ち起こしたデザイン表現の場合は、袋状部（１）の外周に２枚のファー（Ｆ）を環状に連結装着して装飾することもできる。
帯状のファー（Ｆ）の裏面の一端部にボタンを設け、他端にゴムリングを設けて、２枚を環状に連結して取り付ける。
バスケット本体とのズレ防止効果があり、バスケットの上縁にファー（Ｆ）がアクセントになる。
【００５１】
さらに左片カバー（２）と右片カバー（３）とが、屈折して外周面に垂れたその上方に、帯状のファー（Ｆ）を縫着したものを提案する。
帯状のファー（Ｆ）の取り付けは、帯状ファーを左片カバー（２）と右片カバー（３）とのそれぞれの内側に直接縫着する取付け方がある。
そのほか、帯状ファーにボタン（Ｎ）を取り付け、他方左片カバー（２）と右片カバー（３）の所定位置にゴムリング（Ｍ）を付設して着脱自在な取付け方などがある。
又、前記のように、帯状のファー（Ｆ）の裏面の一端部にボタンを設け、他端にゴムリングを設けて、２枚を環状に連結して取り付けることもできる。
ファー（Ｆ）やそのほかの装飾体の取付け方は、公知の手法を含めて任意に選択できる。
帯状のファー（Ｆ）は、ほぼ全周に帯状に渡り取付けられ、豪華な印象を醸す。
そして、素材としてファー（Ｆ）を付設することで、ナンタケットバスケットが冬季にも適する温かな印象が生まれ、好ましいフォルムを作り出す。
【００５２】
装飾体は、バスケットの所持者に合わせてデニム生地のアップリケや、レースの帯や、リボン（Ｒ）や、帯地、和風にした漆塗り曲面帯板など、様々に展開できる。
漆塗り曲面帯板などで光沢を出すときは、板台（１５）や、留め具（２１）も木製漆塗りにして一体感をデザインする。
装飾体は、シンプルにシンメトリーになされるのが原則ではあるが、装飾体によってはより斬新なデザインや、素材もデザインも大きな変化を創作できる。
装飾体は、上記に限定されるものではない。
【産業上の利用可能性】
【００５３】
本考案は、主としてナンタケットバスケットのインナーとして開発したが、容器状のものであれば、この種のバスケットに限らず利用できる。
【符号の説明】
【００５４】
（１）      袋状部
（２）      右片カバー
（３）      左片カバー
（４）      蓋片カバー
（５）      弾性体
（６）      ポケット
（７）      磁石
（Ｆ）      ファー
（Ｒ）      リボン等の装飾体
（１０）    バスケット
（１１）    バスケットの蓋
（１２）    オーナメント
（１３）    止めリング
（１４）    掛け具
（１５）    板台
（１６）    底板
（１７）    リム１９の内側の磁石
（１８）    ペグ
（１９）    リム（バスケットの上端）
（２０）    リム（蓋の下端）
（２１）    留め具（ノブ）
（２２）    ハンドル
【図１】
0003194858.tif 000003
【図２】
0003194858.tif 000004
【図３】
0003194858.tif 000005
【図４】
0003194858.tif 000006
【図５】
0003194858.tif 000007
【図６】
0003194858.tif 000008
【図７】
0003194858.tif 000009
【図８】
0003194858.tif 000010
【図９】
0003194858.tif 000011